(57)【要約】      （修正有）【課題】画像を出力する以外にロール紙をカットする場合、給紙装置から行うことができる。この結果、画像を出力する以外にカットされたロール紙を、画像形成部を介して排出する必要がなくなり、画像形成部に傷を付けることを防止することができる給紙装置を提供することを課題とする。【解決手段】ロール紙Ｐを収容する収容装置１００と、一つ以上の該収容装置１００を引出可能に収納する筐体２００と、該ロール紙の搬送経路を変更する切換装置３００とを有し、切換装置３００は、筐体２００から収容装置１００から引き出した時に、ロール紙Ｐの排出を収容装置１００から排出させる経路に切り換え、収容装置１００を筐体２００に収容した時に、ロール紙Ｐの排出を画像形成装置から排出する経路に切り換えることを特徴とする。【選択図】図２
2013180456.tif 000002
【特許請求の範囲】
【請求項１】
画像形成装置にロール紙を供給する給紙装置において、
ロール紙を収容する収容装置と、一つ以上の該収容装置を引出可能に収納する筐体と、該ロール紙の搬送経路を変更する切換装置とを有し、
前記切換装置は、前記筐体から前記収容装置から引き出した時、前記ロール紙の排出を前記収容装置から排出させ、
前記筐体から前記収容装置から引き出した時に、前記ロール紙の排出を前記収容装置から排出させる経路に切り換え、
前記収容装置を前記筐体に収容した時に、前記ロール紙の排出を前記画像形成装置から排出する経路に切り換えることを特徴とする給紙装置。
【請求項２】
切換装置は、前記ロール紙を所定位置に導くガイド部と、前記ロール紙を前記画像形成装置側、または前記ロール紙を前記収容装置外に、各々導くように、該ガイド部を切り換える切換片とを備えることを特徴とする請求項１記載の給紙装置。
【請求項３】
前記切換片は、一端が軸支されるとともに、前記切換片が取り付けられていることを特徴とする請求項２記載の給紙装置。
【請求項４】
前記収容装置は、前記ロール紙を切断する切断手段と、該切断手段を作動させる駆動源とが設けられたことを特徴とする請求項１記載の給紙装置。
【発明の詳細な説明】
【技術分野】
【０００１】
電子写真装置等に適用される画像形成装置にロール紙を供給する給紙装置に関する。
【背景技術】
【０００２】
電子写真装置等に使用される画像形成装置に、ロール紙を供給する構成として、特許文献１のようなものがある。
【０００３】
特許文献１の構成は、記録紙上に画像を形成する画像形成部１と給紙装置２００とからなる。給紙装置は、筐体（３、４）に、ロール紙（３００、４００）が収容されるロール紙収容部（３０、４０）を備えている。各筐体（３、４）は、レール機構部１０（筐体４は図示されていない）によってロール紙の搬送方向に引き出されるようになっている。
【０００４】
ロール紙収容部に収容されたロール紙は、送り出しローラ３１によって、一定速度で画像形成部１側に送り出される。また、送り出しローラには。ロール紙３００の、切断動作後における先頭部分を、画像形成部１側に送り出す方向とは逆方向に巻き戻すようになっている。
【０００５】
【特許文献１】特開２０００−２８９９０４号公報
【発明の開示】
【発明が解決しようとする課題】
【０００６】
しかし、特許文献１の構成は、カットしたロール紙は、全て搬送経路１１を介して装置外に排出されるため、先端の切り揃えや、ロール紙外周のテープ跡や汚れを除くための長さが短くカットしたロール紙は、搬送経路中で詰まってしまうおそれがある。
【０００７】
さらに、ロール紙を装填する時に、手の汗や油がロール紙に落ちた場合には、その汚れが取れるまでロール紙を繰り出して、装置外に排出する必要があるため、ロール紙の表面が画像形成部に接触して、画像形成部に傷が付いてしまうおそれがある。
【０００８】
また、ロール紙を排出している時は、他の給紙装置から出力することができず、この出力を行う場合には、ロール紙の排出が終了するまで待つ必要があった。
【課題を解決するための手段】
【０００９】
上記の問題を解決するために、本発明は、請求項１の発明では、ロール紙を収容する収容装置と、一つ以上の該収容装置を引出可能に収納する筐体と、該ロール紙の搬送経路を変更する切換装置とを有し、切換装置は、筐体から収容装置から引き出した時に、ロール紙の排出を収容装置から排出させる経路に切り換え、収容装置を筐体に収容した時に、ロール紙の排出を画像形成装置から排出する経路に切り換えることを特徴とする。
【００１０】
請求項２記載の発明は、切換装置を、ロール紙を所定位置に導くガイド部と、ロール紙を画像形成装置側、またはロール紙を収容装置外に、各々導くように、該ガイド部を切り換える切換片とにより構成する。また、請求項３記載の発明は、切換片を、一端が筐体に軸支されるとともに、切換片が取り付けられていることを特徴とする。
【００１１】
さらに、請求項４記載の発明は、収容装置を、ロール紙を切断する切断手段と、該切断手段を作動させる駆動源とにより構成することを特徴とする。
【発明の効果】
【００１２】
本発明は、上記構成により、画像を出力する以外にロール紙をカットする場合、給紙装置から行うことができる。この結果、画像を出力する以外にカットされたロール紙を、画像形成部を介して排出する必要がなくなり、画像形成部に傷を付けることを防止することができる。
【００１３】
また、収容装置に切断装置が、各々、設けられているため、一つの収容装置でロール紙のカット作業と、他の収容装置でロール紙に画像の出力とを、同時に行うことができる。
【図面の簡単な説明】
【００１４】
【図１】本発明の給紙装置に適用する画像形成装置の概略図。
【図２】本発明の給紙装置の詳細を示す図。
【発明を実施するための最良の形態】
【００１５】
以下、本発明の実施の形態を図面に基づいて説明する。図１に、本発明の画像形成装置の概略図を示す。この装置は、画像形成手段Ａと定着手段Ｂと搬送手段Ｃとからなる。
【００１６】
画像形成手段Ａは、後に述べる給紙装置から供給された転写材に画像を形成すものであり、画像形成部Ａ１０と、転写材を各画像形成部（Ａ１０Ｙ、Ａ１０Ｍ、Ａ１０Ｃ、Ａ１０ＢＫ）に搬送し且つ搬送手段Ｃに搬送する転写材搬送部Ａ２０とからなる。
【００１７】
画像形成手段Ａは、転写材に転写するトナー像を形成するものである。画像形成部Ａ１０は、転写材の搬送方向の順に、垂直に、イエローＹ、マゼンタＭ、シアンＣ、ブラックＢＫが並列に配置されている。
【００１８】
画像形成手段Ａは、簡単に説明すると、像担持体（Ａ１１Ｙ、Ａ１１Ｍ、Ａ１１Ｃ、Ａ１１ＢＫ）の周囲に、像担持体（Ａ１１Ｙ、Ａ１１Ｍ、Ａ１１Ｃ、Ａ１１ＢＫ）上の残留電荷を除去する除電手段（図示せず）と、像担持体（Ａ１１Ｙ、Ａ１１Ｍ、Ａ１１Ｃ、Ａ１１ＢＫ）の表面を特定極性に帯電する帯電手段（図示せず）、帯電された像担持体（Ａ１１Ｙ、Ａ１１Ｍ、Ａ１１Ｃ、Ａ１１ＢＫ）の静電潜像を形成する露光手段（図示せず）と、像担持体（Ａ１１Ｙ、Ａ１１Ｍ、Ａ１１Ｃ、Ａ１１ＢＫ）の表面に形成された静電潜像をトナーにより現像する本発明の現像装置（Ａ１２Ｙ、Ａ１２Ｍ、Ａ１２Ｃ、Ａ１２ＢＫ）と、像担持体（Ａ１１Ｙ、Ａ１１Ｍ、Ａ１１Ｃ、Ａ１１ＢＫ）に現像されたトナー像を給紙装置から搬送された転写材に転写する転写手段（Ａ１３Ｙ、Ａ１３Ｍ、Ａ１３Ｃ、Ａ１３ＢＫ）とからなる。各色のトナーの供給はトナーカートリッジ（Ａ１４Ｙ、Ａ１４Ｍ、Ａ１４Ｃ、Ａ１４ＢＫ）により行われる。
【００１９】
なお、この実施の形態では、各色の混色が生じたとしても、余り目立たないようにするために、転写材の搬送方向の順に、垂直に、イエローＹ、マゼンタＭ、シアンＣ、ブラックＢＫ順に配置されているが、これに限定されることはなく、ブラックＢＫ、シアンＣ、マゼンタＭ、イエローＹとしてもよい。
【００２０】
転写材搬送部Ａ２０は、ループ状のベルト（無端ベルト）Ａ２１と駆動ユニットＡ２２と従動ローラＡ２３とからなり、垂直方向に配置されている。駆動ユニットＡ２２と従動ローラＡ２３とによって、ベルトＡ２１は、張力がかかった状態で掛け渡されている。駆動ユニットＡ２２は、二つのローラ（Ａ２２ａ、Ａ２２ｂ）からなる。
【００２１】
定着手段Ｂは、画像形成手段Ａを経て搬送された転写材のトナー像を定着するものであり、一対のローラ（Ｂ１１ａ、Ｂ１１ｂ）からなり、画像形成手段Ａより上方に配置されている。
【００２２】
図２に、本発明の給紙装置の概略図を示す。なお、図１に示された給紙装置は同じ構造となっている。給紙装置は、収容装置１００と、筐体２００と、切換装置３００とからなる。収容装置１００は、ロール紙Ｐを収容するものであり、取付部１１０と、繰出手段１２０と、伝達手段１３０と、搬送路１４０と、搬送部１５０と、切断手段１６０とからなる。
【００２３】
取付部１１０は、ロール紙Ｐの両側に装着された保持部材Ｐ１を支持するものである。保持部材Ｐ１の一方側には、伝達手段１３０の回転を伝達する第一連結ギアＰ２が設けられている。
【００２４】
繰出手段１２０は、ロール紙Ｐを搬送路１４０側に繰出すものであり、一対のローラ（１２１ａ、１２１ｂ）からなる。一方のローラ１２１ａの一方側（具体的には、第一連結ギアＰ２が設けられている側）には、伝達手段１３０の回転を伝達する第二連結ギア１２２が設けられている。
【００２５】
搬送路１４０は、各給紙装置を筐体２００に装着したときに、給紙装置の装着方向に対して、略垂直方向に設けられている。また、給紙装置に直接ロール紙Ｐが通過する搬送路１４０の上方は、導入部１４１が設けられている。導入部１４１は、ロール紙Ｐの先端が通過しやすいように、ロール紙Ｐの搬送方向に向かって、幅が狭くなっている。
【００２６】
搬送部１５０は、ロール紙Ｐを、次の給紙装置または画像形成手段Ａに送り出すものであり、繰出手段１２０と同様に、一対のローラからなる。切断手段１６０は、ロール紙Ｐを所定の長さにカットするものである。
【００２７】
切断手段１６０には、繰出手段１２０に向かって徐々に開口が広がった搬送ガイド１６１が設けられている。この搬送ガイド１６１により、容易に、繰出手段１２０から繰出されるロール紙Ｐの先端が導入される。さらに、切断手段１６０の下流側には、ロール紙Ｐを搬送路１４０に導く第一搬送経路Ｓ１が形成されている。
【００２８】
第一搬送経路Ｓ１は、金属の薄板状からなる載置部５００と、後に述べる切換装置３００のガイド部３１０から構成される。載置部５００は、金属の薄板状からなり、取付部１１０に設けられ、繰出手段１２０により繰出されたロール紙Ｐを載置するものである。ガイド部３１０は、第一搬送経路Ｓ１内で、繰出されてくるロール紙Ｐのばたつきを抑えるものである。なお、ガイド部３１０は後に述べるが他の機能も有する。
【００２９】
筐体２００は、収容装置１００を格納するものであり、フレーム部材２１０で、各収容装置１００を格納する空間が形成されている。また、フレーム部材２１０には、収容装置１００を画像形成装置（筐体２００）外に引き出しが可能なように、レール機構２２０が設けられている。
【００３０】
レール機構２２０は、第一レール部材２２１と第二レール部材２２２からなる。第一レール部材２２１はフレーム部材２１０に取り付けられ、第二レール部材２２２は収容装置１００に取り付けられている。
【００３１】
切換装置３００は、筐体２００から収容装置１００から引き出した時に、ロール紙Ｐの排出を収容装置１００から排出させる経路に切り換え、収容装置１００を筐体２００に収容した時に、ロール紙Ｐの排出を画像形成装置から排出する経路に切り換えるものである。
【００３２】
ここで、ロール紙Ｐの排出を画像形成装置から排出する経路に切り換えは、先に述べた第一搬送経路Ｓ１をさす。また、以下において、ロール紙Ｐの排出を画像形成装置から排出する経路を第二搬送経路Ｓ２と呼ぶ。
【００３３】
切換装置３００はガイド部３１０と切換片３２０と当接部３３０とからなる。ガイド部３１０は、第一搬送経路Ｓ１または第二搬送経路Ｓ２の一部を形成するものである。ガイド部３１０は、金属の薄板部材を折り曲げたもので一端が支持軸３４０に軸支されている。支持軸３４０は取付部１１０に取り付けられている。
【００３４】
さらに、ガイド部３１０の支持は、収容装置１００が引き出されたときに、自重により、常に、切断手段３００から搬送路１４０間を第二搬送経路Ｓ２となるように、上方に傾く位置に配置されている。
【００３５】
切換片３２０は、板状の部材からなり、収容装置１００を筐体２００内に装着したときに、ガイド部３１０を変位させて、切断手段３００から搬送路１４０間におけるロール紙Ｐの搬送を、第二搬送経路Ｓ２から第一搬送経路Ｓ１に切り換えるものである。切換片３２０の一端は支持軸３４０に取り付けられ、切換片３２０の他端側は後に述べる当接部３３０に当接するようになっている。
【００３６】
当接部３３０は、収容装置１００を筐体２００内に装着したときに、切換片３２０の他端側を突き当てて、支持軸３４０を回動させて、ガイド部３１０を第一搬送経路Ｓ１となるように作用させるものである。具体的に、当接部３３０は、収容装置１００側に突出するように、筐体２００に設けられている。
【００３７】
以上の構成のもと、本発明の給紙装置の動作について説明する。先ず、図１に示すように、筐体２００に収容装置１００が装着している、すなわち画像形成装置に給紙装置が装着している場合は、切換片３２０が当接部３３０に当接することにより、ガイド部３１０の自重でガイド部３１０が載置部５００側に傾くことが規制され、第二搬送経路Ｓ２が形成される。
【００３８】
この状態において、繰出手段１２０により、ロール紙Ｐが搬送路１４０を経由して画像形成手段Ａに繰出され、所定の長さで切断手段１６０によってカットされる。その間、ロール紙Ｐ上に所定の色の画像が転写され、この後、ロール紙Ｐを定着して排出口（符号なし）から出力する。
【００３９】
次に、ロール紙Ｐの装填作業等を行うために、給紙装置を画像形成装置から分離する場合には、先ず、矢印方向に、筐体２００から収容装置１００を引き出す。この間、徐々に、切換片３２０は当接部３３０から離れ、ガイド部３１０に対する規制が解除されていく。
【００４０】
これと同時に、支持軸３４０に取り付けられているガイド部３１０の自重により、ガイド部３１０が載置部５００側に傾いていく。このガイド部３１０の傾きは載置部５００に突き当たるまで行われる。この動作により、ロール紙Ｐが、搬送路１４０および画像形成手段Ａに搬送される第二搬送経路Ｓ２が塞がれ、第一搬送経路Ｓ１に切り換わる。
【００４１】
この結果、画像を出力する以外にロール紙Ｐをカットする場合、給紙装置から行うことができ、画像を出力する以外にカットされたロール紙Ｐを、画像形成手段Ａを介して排出する必要がなくなり、画像形成手段Ａに傷を付けることを防止することができる。
【００４２】
また、各収容装置１００にロール紙Ｐをカットする切断手段３００が設けられているため、図１に示すような装置において、最上位の給紙装置を引き出して作業を行いながら、他の給紙装置で出力（ロール紙Ｐに画像を転写して定着する）を行うことができ、印刷出力の向上を図ることができる。
【符号の説明】
【００４３】
１００  収容装置
２００  筐体
３００  切換装置
３１０  ガイド部
３２０  切換片
Ｐ    ロール紙
Ｓ１  第一搬送経路
Ｓ２  第二搬送経路
【図１】
2013180456.tif 000003
【図２】
2013180456.tif 000004